(57)【要約】【課題】無線端末の網接続情報をあらかじめ把握する必要がなく、設定作業を簡略化する。【解決手段】携帯無線電話網６０を使用してセンタ装置２０と通信を行う無線端末１０に、通信に必要な網接続情報を設定する方法であって、無線端末の設置前に、センタ装置が、無線端末の電話番号宛、ＳＭＳにおけるメッセージ通信を用いて網接続情報を送信すると、メッセージを管理する通信事業者のＳＭＳサーバ３０が、メッセージを保存する第１のステップ（Ｓ１０１，Ｓ１０２）と、無線端末が起動されると、無線端末が、ＳＭＳサーバに問い合わせを行って得られる網接続情報を、ＳＭＳを用いたメッセージ通信により受信する第２のステップ（Ｓ１０３，Ｓ１０４）と、無線端末が、ＳＭＳを用いたメッセージ通信によりＳＭＳサーバから受信した網接続情報を自身に設定する第３のステップ（Ｓ１０５）と、を有する。【選択図】図３
2017169144.tif 000002
【特許請求の範囲】
【請求項１】
携帯無線電話網を使用してセンタ装置とパケット通信を行う無線端末に、前記パケット通信に必要な網接続情報を設定する方法であって、
前記無線端末の設置前に、前記センタ装置が、前記無線端末の電話番号あてに、ＳＭＳ（ショートメッセージサービス）におけるメッセージ通信を用いて前記網接続情報を送信すると、メッセージを管理する通信事業者のＳＭＳサーバが、前記メッセージを保存する第１のステップと、
前記無線端末が起動されると、前記無線端末が、前記ＳＭＳサーバに問い合わせを行って得られる前記網接続情報を、前記ＳＭＳを用いたメッセージ通信により受信する第２のステップと、
前記無線端末が、前記ＳＭＳを用いたメッセージ通信により前記ＳＭＳサーバから受信した前記網接続情報を自身に設定する第３のステップと、
を有することを特徴とする方法。
【請求項２】
携帯端末をさらに有し、前記携帯端末が、前記無線端末の電話番号宛、ＳＭＳにおけるメッセージ通信を用いて前記網接続情報を送信すると、前記無線端末が受信した前記網接続情報を自身に設定する第４のステップと、を備えることを特徴とする請求項１に記載の方法。
【請求項３】
前記第４のステップにおいて、前記網接続情報は前記無線端末の設置前に前記携帯端末によって前記センタ装置から取得されたものであることを特徴とする請求項２に記載の方法。
【請求項４】
携帯無線電話網を使用してセンタ装置とパケット通信を行う無線端末に、前記パケット通信に必要な網接続情報を設定する方法であって、
前記無線端末の設置前に、前記センタ装置が、前記無線端末の電話番号あて、ＳＭＳ（ショートメッセージサービス）におけるメッセージ通信を用いて前記網接続情報を送信すると、メッセージを管理する通信事業者のＳＭＳサーバが、前記メッセージを保存する第１のステップと、
前記無線端末を設置後、前記無線端末が起動されると、携帯端末が、前記ＳＭＳサーバに対し、前記ＳＭＳを用いたメッセージ通信により前記無線端末へ前記網接続情報を送信するように指示する第２のステップと、
前記無線端末が、前記ＳＭＳを用いた通信により前記ＳＭＳサーバから取得した前記網接続情報を自身に設定する第３のステップと、
を有することを特徴とする方法。
【請求項５】
前記第２のステップにおいて、前記携帯端末は、あらかじめ前記センタ装置に対しＳＭＳを用いたメッセージ通信により前記網接続情報の取得要求を行い、前記センタ装置から取得した前記網接続情報を、前記ＳＭＳを用いたメッセージ通信により取得されたものであることを特徴とする請求項４に記載の方法。
【請求項６】
携帯無線電話網を使用してセンタ装置とパケット通信を行う無線端末に、前記パケット通信に必要な網接続情報を設定する網接続情報設定システムであって、
前記無線端末の設置前に、前記無線端末の電話番号宛に、ＳＭＳ（ショートメッセージサービス）におけるメッセージ通信を用いて前記網接続情報を送信する前記センタ装置と、
前記センタ装置から受信したメッセージを保存するＳＭＳサーバと、
設置後、起動されると、前記ＳＭＳサーバに問い合わせを行って得られる前記網接続情報を、前記ＳＭＳを用いたメッセージ通信により受信し、前記ＳＭＳサーバから受信した前記網接続情報を自身に設定する前記無線端末と、
を備えたことを特徴とするシステム。
【請求項７】
携帯無線電話網を使用してセンタ装置とパケット通信を行う無線端末に、前記パケット通信に必要な網接続情報を設定する網接続情報設定システムであって、
前記無線端末の設置前に、前記無線端末の電話番号宛に、ＳＭＳ（ショートメッセージサービス）におけるメッセージ通信を用いて前記網接続情報を送信する前記センタ装置と、
前記センタ装置から受信したメッセージを保存するＳＭＳサーバと、
前記無線端末を設置後、前記無線端末が起動されると、前記ＳＭＳサーバに、前記ＳＭＳを用いたメッセージ通信により前記網接続情報を送信するように指示する携帯端末と、
前記ＳＭＳを用いたメッセージ通信により前記ＳＭＳサーバから取得した前記網接続情報を自身に設定する前記無線端末と、
を備えたことを特徴とするシステム。
【発明の詳細な説明】
【技術分野】
【０００１】
本発明は、網接続情報設定方法及びシステムに関する。
【背景技術】
【０００２】
ガス等の検針装置の無人化を図るため、検針メータと無線端末とを接続し、無線端末が検針メータから取得した検針値や警報値をセンタ装置に送信する検針システムが知られている。例えば、特許文献１に、無線信号によりメータ等の検針値や制御内容を情報伝送する無線端末の初期設定に関する技術が記載されている。
【先行技術文献】
【特許文献】
【０００３】
【特許文献１】特開平６−３０３６７４号公報
【発明の概要】
【発明が解決しようとする課題】
【０００４】
特許文献１に記載された技術によれば、ガスメータ等の無線端末を携帯無線電話網へ接続するにあたり必要な情報を、パソコン等により構成されるデータ設定装置から設定している。しかしながら、この方法によれば、作業員が無線端末に固有の情報を把握する必要があり、設定作業が煩雑で、特に、ガスメータ等の設置場所が高所にあった場合作業性が著しく低下する。
【０００５】
本発明は上記した課題を解決するためになされたものであり、無線端末の情報を把握しておく必要がなく、設定作業を簡略化して作業性を高めた、網接続情報設定方法及びシステムを提供することを目的とする。
【課題を解決するための手段】
【０００６】
上記した課題を解決するために本発明の第１の態様に係る方法は、携帯無線電話網を使用してセンタ装置とパケット通信を行う無線端末に、前記パケット通信に必要な網接続情報を設定する方法であって、前記無線端末の設置前に、前記センタ装置が、前記無線端末の電話番号あてに、ＳＭＳ（ショートメッセージサービス）におけるメッセージ通信を用いて前記網接続情報を送信すると、メッセージを管理する通信事業者のＳＭＳサーバが、前記メッセージを保存する第１のステップと、前記無線端末が起動されると、前記無線端末が、前記ＳＭＳサーバに問い合わせを行って得られる前記網接続情報を、前記ＳＭＳを用いたメッセージ通信により受信する第２のステップと、前記無線端末が、前記ＳＭＳを用いたメッセージ通信により前記ＳＭＳサーバから受信した前記網接続情報を自身に設定する第３のステップと、を有することを特徴とする。
【０００７】
本発明の第１の態様に係る方法において、携帯端末をさらに有し、前記携帯端末が、前記無線端末の電話番号宛、ＳＭＳにおけるメッセージ通信を用いて前記網接続情報を送信すると、前記無線端末が受信した前記網接続情報を自身に設定する第４のステップと、を備えることを特徴とする。
【０００８】
本発明の第１の態様に係る方法において、前記第４のステップにおいて、前記網接続情報は前記無線端末の設置前に前記携帯端末によって前記センタ装置から取得されたものであることを特徴とする。
【０００９】
本発明の第２の態様に係る方法は、携帯無線電話網を使用してセンタ装置とパケット通信を行う無線端末に、前記パケット通信に必要な網接続情報を設定する方法であって、前記無線端末の設置前に、前記センタ装置が、前記無線端末の電話番号宛、ＳＭＳ（ショートメッセージサービス）におけるメッセージ通信を用いて前記網接続情報を送信すると、メッセージを管理する通信事業者のＳＭＳサーバが、前記メッセージを保存する第１のステップと、前記無線端末を設置後、前記無線端末が起動されると、携帯端末が、前記ＳＭＳサーバに対し、前記ＳＭＳを用いたメッセージ通信により前記無線端末へ前記網接続情報を送信するように指示する第２のステップと、前記無線端末が、前記ＳＭＳを用いた通信により前記ＳＭＳサーバから取得した前記網接続情報を自身に設定する第３のステップと、を有することを特徴とする。
【００１０】
本発明の第２の態様に係る方法において、前記第２のステップにおいて、前記携帯端末は、あらかじめ前記センタ装置に対しＳＭＳを用いたメッセージ通信により前記網接続情報の取得要求を行い、前記センタ装置から取得した前記網接続情報を、前記ＳＭＳを用いたメッセージ通信により取得されたものであることを特徴とする。
【００１１】
本発明の第３の態様に係るシステムは、携帯無線電話網を使用してセンタ装置とパケット通信を行う無線端末に、前記パケット通信に必要な網接続情報を設定する網接続情報設定システムであって、前記無線端末の設置前に、前記無線端末の電話番号宛に、ＳＭＳ（ショートメッセージサービス）におけるメッセージ通信を用いて前記網接続情報を送信する前記センタ装置と、前記センタ装置から受信したメッセージを保存するＳＭＳサーバと、設置後、起動されると、前記ＳＭＳサーバに問い合わせを行なって得られる前記網接続情報を、前記ＳＭＳを用いたメッセージ通信により受信し、前記ＳＭＳサーバから受信した前記網接続情報を自身に設定する前記無線端末と、を備えたことを特徴とする。
【００１２】
本発明の第４の態様に係るシステムは、携帯無線電話網を使用してセンタ装置とパケット通信を行う無線端末に、前記パケット通信に必要な網接続情報を設定する網接続情報設定システムであって、前記無線端末の設置前に、前記無線端末の電話番号宛に、ＳＭＳ（ショートメッセージサービス）におけるメッセージ通信を用いて前記網接続情報を送信する前記センタ装置と、前記センタ装置から受信したメッセージを保存するＳＭＳサーバと、前記無線端末を設置後、前記無線端末が起動されると、前記ＳＭＳサーバに、前記ＳＭＳを用いたメッセージ通信により前記網接続情報を送信するように指示する携帯端末と、前記ＳＭＳを用いたメッセージ通信により前記ＳＭＳサーバから取得した前記網接続情報を自身に設定する前記無線端末と、を備えたことを特徴とする。
【発明の効果】
【００１３】
本発明によれば、無線端末の情報を把握しておく必要がなく、設定作業を簡略化して作業性を高めた、網接続情報設定方法及びシステムを提供することができる。
【図面の簡単な説明】
【００１４】
【図１】本発明の実施の形態に係る網接続情報設定システムを構成する装置間のデータの流れを説明するために引用した図である。
【図２】図１の無線端末の内部構成を示すブロック図である。
【図３】実施例１に係る網接続情報設定システムの動作シーケンス図である。
【図４】実施例２に係る網接続情報設定システムの動作シーケンス図である。
【発明を実施するための形態】
【００１５】
以下、本発明の実施の形態（以下、本実施形態という）に係る網接続情報設定方法及びシステムについて図面を参照しながら詳細に説明する。なお、実施形態の説明の全体を通して同じ要素には同じ番号又は符号を付している。
【００１６】
（実施形態の構成）
図１に、本実施形態に係る網接続情報設定システムを構成する装置間のデータの流れを示す。図１によれば、本実施形態に係る網接続情報設定システム１は、ガスメータ等が接続される無線端末１０と、ガスメータの検針情報を集中管理するセンタ装置２０と、通信事業者ごとに構築されるＳＭＳサーバ３０と、を含む。なお、現場作業員が所持する携帯端末４０を含んでもよい。この場合、無線端末１０、及び携帯端末４０は、携帯無線電話網６０、及びＩＰ（Internet  Protocol）網５０を介して、センタ装置２０及び、ＳＭＳサーバ３０に接続される。
【００１７】
本実施形態に係る網接続情報設定システム１は、携帯無線電話網６０を使用してセンタ装置２０と通信を行う無線端末１０に、通信に必要な網接続情報をＳＭＳによるメッセージ通信を用いて設定する方法を実現するシステムである。周知のように、ＳＭＳ（Shoort  Message  Service）は、回線交換ネットワーク上で文字（テキスト）メッセージを音声回線ではなく、それを制御する信号線及びシグナリングチャネルを使用して運ぶことによりサービスを実現している。なお、ここでいう網接続情報とは、ＩＰアドレス情報、ポート番号、ＡＰＮ（Access  Point  Name）等をいい、無線端末１０が、携帯無線電話網６０を使用してＩＰ網５０に接続し、センタ装置２０との間でパケット通信を行うために必要な情報をいう。
【００１８】
図１によれば、センタ装置２０は、まず、無線端末１０の設置前に、無線端末１０の電話番号宛に、ＳＭＳにおけるメッセージを用いて網接続情報を送信すると、そのメッセージを管理する通信事業者のＳＭＳサーバ３０が、当該メッセージを保存する（ａ：第１のステップ）。続いて、現場作業員が、設置された無線端末１０の電源をＯＮ（起動）すると、無線端末１０は、ＳＭＳサーバ３０に問い合わせを行い、得られる網接続情報を、ＳＭＳを用いた通信により受信することでセンタ装置２０との間で通信に必要な網接続情報を取得することができる（ｂ：第２のステップ）。そして、無線端末１０が、ＳＭＳを用いた通信によりＳＭＳサーバ３０から受信した網接続情報を自身に設定することにより、無線端末１０とセンタ装置２０間の通信が確立され、以降、パケット通信による運用が開始される（ｃ：第３のステップ）。
【００１９】
なお、現場作業員が、無線端末１０毎に網接続情報を個別に設定する場合、現場作業員が所持する携帯端末４０を用いてＳＭＳを用いたメッセージ通信により、無線端末１０に対し、直接、網接続情報を送信して設定することも可能である（ｄ：第４のステップ）。ただし、この場合、携帯端末４０は、事前にその網接続情報をセンタ装置２０からＳＭＳを用いた通信により取得し、取得した網接続情報を、ＳＭＳを用いた通信により無線端末１０の電話番号宛に送信することになる。
【００２０】
図２に無線端末１０の内部構成を示す。図２によれば、無線端末１０は、制御部１０１と、記憶部１０２と、操作部１０３と、表示部１０４と、通信部１０５と、アンテナ１０６と、メータインタフェース部（メータＩ／Ｆ部１０７）と、電源部１０８と、により構成される。
【００２１】
制御部１０１は、無線端末１０全体を制御する。制御部１０１は、無線端末１０を現場に設置後、起動すると、通信部１０５，アンテナ１０６を介してＳＭＳサーバ３０と通信を行い、ＳＭＳサーバ３０に問い合わせを行って得られる網接続情報を、ＳＭＳを用いた通信により受信し、ＳＭＳサーバ３０から受信した網接続情報を自身に設定する手段として機能するＣＰＵ（Central  Processing  Unit）を含む。ＣＰＵは、記憶部１０２に実装されたＲＯＭ（Read  Only  Memory）に記録されたプログラムを逐次読み出し実行することにより、上記の手段を実現する。このとき、記憶部１０２に実装されたＲＡＭ（Random  Access  Memory）には、ＳＭＳサーバ３０から取得して設定される網接続情報、あるいは設定後の運用に必要な開通情報が記憶される。
【００２２】
操作部１０３は、例えば、キーなどの操作手段を備え、無線端末１０の装置状況確認、設置操作、通信テストを行う際に、該当のキーを押下することにより制御部１０１を起動する。表示部１０４は、例えば、ＬＥＤ（Light  Emitted  Diode）等の表示手段を備え、制御部１０１による制御の下で設置確認結果、試験結果表示などを行う。なお、操作部１０３と表示部１０４は、例えば、ＬＣＤ（Liquid  Crystal  Display）とタッチセンサとが一体形成されたタッチパネルで実現してもよい。  
【００２３】
通信部１０５は、ＩＰ網５０を含む携帯無線電話網６０との通信インタフェースを司り、ＳＭＳサーバとの間で通信を行う。また、通信部１０５、センタ装置２０からの検針データの要求信号の受信とそれに応じた検針データの送信等を行う特定小電力無線手段としても機能する。メータＩ／Ｆ１０７は、図示省略した検針メータと接続するための外部通信インタフェースである。電源部１０８は、無線端末１０の駆動電源となる電池等で構成されている。   
【００２４】
（実施形態の動作）
以下、本実施形態に係る網接続情報設定システム１の動作について図３，図４のシーケンス図を参照して詳細に説明する。以下の説明では、センタ装置２０から取得した網接続情報をＳＭＳサーバ３０経由で無線端末１０に設定するケースを第１実施形態とし、現場作業員が所持する携帯端末４０から無線端末１０のそれぞれに対して個別に設定するケースを第２実施形態として説明する。
【００２５】
（第１実施形態）
第１実施形態の動作について図３のシーケンス図を参照しながら説明する。図３によれば、まず、センタ装置２０が、無線端末１０が設置される前に、その無線端末１０の電話番号宛、ＳＭＳにおけるメッセージを用い、その電話番号及びメッセージを管理する通信事業者のＳＭＳサーバ３０に網接続情報を送信する（ステップＳ１０１：網接続情報のＳＭＳ送信）。メッセージを受信したＳＭＳサーバ３０は、そのメッセージを内蔵の記憶装置（図示省略）に保存する（ステップＳ１０２）。
【００２６】
次に、現場作業員が無線端末１０を設置し、当該無線端末１０の電源部１０８をＯＮすることにより起動すると、無線端末１０は、制御部１０１が通信部１０５を介してＳＭＳサーバ３０に問い合わせを行い（ステップＳ１０３）、得られる網接続情報を、ＳＭＳを用いた通信により受信する（ステップＳ１０４）。続いて、制御部１０１は、通信部１０５を介して受信した網接続情報を記憶部１０２に設定する（ステップＳ１０５：網接続情報の設定登録）。
【００２７】
続いて、無線端末１０は、センタ装置２０に網接続情報設定完了通知信号を送信することにより（ステップＳ１０６）、センタ装置２０と無線端末１０との間の通信が確立され、パケット通信の運用が開始される。そして、無線端末１０は、センタ装置２０に対し開通要求を送信し、網接続情報を除くパケット通信の運用に必要な開通情報の要求を行うと（ステップＳ１０７）、センタ装置２０から開通応答信号を受信して（ステップＳ１０８）、記憶部１０２に開通情報を設定することができる（ステップＳ１０９）。
【００２８】
開通情報の設定後、無線端末１０が、センタ装置２０に対して開通完了通知を送信すると（ステップＳ１１０）、センタ装置２０は、無線端末１０に対して開通が正しく行われたことを確認するためのテスト要求信号を送信する（ステップＳ１１１）。テスト要求信号を受信した無線端末１０は、メータＩ／Ｆ部１０７を介して接続される検針器との試験通信を行い（ステップＳ１１２）、その結果であるテスト応答信号をセンタ装置２０に送信する（ステップＳ１１３）。以降、センタ装置２０は、初期設定状態から運用状態に移行し（ステップＳ１１４）、無線端末１０へテスト完了通知信号を送信する（ステップＳ１１５）。なお、テスト通信は、現場作業員が無線端末１０の操作部１０３に割り当てられた専用のキーを押すことによっても起動される。
【００２９】
最後に無線端末１０は、制御部１０１が、表示部１０４に、ＬＥＤ点灯等の表示動作を行うことで（ステップＳ１１６）、現場作業員はその内容を確認することでテスト通信が正常にできたか否かを判断することができる。なお、テスト通信の結果は、センタ装置２０から現場作業員が所持する携帯端末４０に通知しても、あるいは、無線端末１０から携帯端末４０へ通知する形態をとってもよい。
【００３０】
（第１実施形態の効果）
第１実施形態に係る網接続情報設定システム１によれば、センタ装置２０が、設置前の無線端末１０に対しＳＭＳを用いた通信により網接続情報を送信し、無線端末１０が設置後起動された時にＳＭＳサーバ３０に問い合わせ、ＳＭＳサーバ３０に保存された網接続情報を取得して設定することにより、センタ装置２０と無線端末１０とのパケット通信を確立することができる。このため、現場作業員は、無線端末１０の網接続情報を把握する必要がなく、また、遠隔で設定が可能になるため、作業性が低下することなく、かつ、設定作業が簡素化される。また、その際にＰＣ等のデータ設定装置も不要になる。
【００３１】
（第２実施形態）
次に、第２実施形態に係る網接続情報設定システム１の動作について図４のシーケンス図を参照しながら説明する。以下に説明する第２実施形態に係る網接続情報設定システムにおいて、図３に示す第１実施形態との差異は、現場作業員が所持する携帯端末４０を用いて無線端末１０ごと個別に網接続情報を設定する仕組み（携帯端末４０と無線端末１０との間で直接設定するステップＳ２０６とＳ２０７）を付加したものである。
【００３２】
携帯端末４０は、センタ装置２０から無線端末１０の網接続情報を取得し（Ｓ２００）、無線端末１０の電話番号宛、ＳＭＳにおけるメッセージ通信を用いて網接続情報を送信すると（ステップＳ２０６）、無線端末１０（制御部１０１）が受信した網接続情報を自身の記憶部１０２に設定する（ステップＳ２０７）。このとき、網接続情報は、無線端末１０の設置前携帯端末４０によってセンタ装置２０から取得されたものである。
【００３３】
すなわち、図４に太い一点鎖線で示すように、センタ装置２０と携帯端末４０との間で事前に網接続情報の取得要求と、網接続情報の送信のやりとり（ステップＳ２００）が必要である。このやり取りは、無線端末１０の設置前に行われれば、その実行のタイミングは任意である。この場合の通信手段は、ＳＭＳ通信に限定されるものではなく、ＩＰ通信でも構わない。なお、以降の網設定情報の設定後の動作（Ｓ２０８〜Ｓ２１８）は、第１実施形態（Ｓ１０６〜Ｓ１１６）のそれぞれと同様である。
【００３４】
（第２実施形態の効果）
第２実施形態に係る網接続情報設定システム１によれば、携帯端末４０が、無線端末１０の電話番号宛、ＳＭＳにおけるメッセージを用いて網接続情報を送信し、無線端末１０が受信した網接続情報を自身に設定することで、無線端末１０ごとに個別に網接続情報を設定することができる。したがって、第１実施形態と同様、現場作業員は、遠隔で設定が可能になるため、作業性が低下することなく、かつ、設定作業が簡素化される。また、その際にＰＣ等のデータ設定装置も不要になる。さらに、現場作業員は、無線端末１０の網接続情報を個別に把握しておく必要がないといった独自の効果も有する。
【００３５】
（変形例）
なお、本実施形態に係る網接続情報設定システム１によれば、センタ装置２０に保存されている網接続情報を、現場作業員が携帯端末４０からＳＭＳを用いたメッセージにより送信を指示することも可能である。この場合、無線端末１０は、あらかじめ設定されたセンタ装置２０の電話番号を宛先にしてＳＭＳを用いた網接続情報の取得要求を行う。次に、網接続情報の取得要求を受信したセンタ装置２０は、ＳＭＳにより網接続情報をメッセージ送信するため、これを受信した無線端末１０は、センタ装置２０との間でパケット通信の運用を開始することができる。
【００３６】
また、パケット通信確立後、無線端末１０は、現場作業員がセンタ装置２０に対して開通要求を発行するが、センタ装置２０に、ＳＭＳによりパケット通信が可能になった後の動作（網接続情報以外に運用に必要な情報）についてもあらかじめ登録しておくことにより、無線端末１０は、自動でパケット通信を利用した不足する情報の設定も可能になり、設定の仕方に選択肢を提供でき、使い勝手が向上する。
【００３７】
なお、本実施形態に係る網接続情報設定システム１によれば、ＳＭＳによるメッセージを用い無線端末１０に網接続情報の設定を行うものとして説明したが、ショートメッセージに限らず、文字の大きさや配置が変更可能で、音声やアニメーションも挿入可能な拡張（Enhanced  Message  Service）でもよく、相手の電話番号を指定してメッセージを送受信するものであれば代用が可能である。
【００３８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００３９】
１      網接続情報設定システム
１０    無線端末
２０    センタ装置
３０    ＳＭＳサーバ
４０    携帯端末
５０    ＩＰ網
６０    携帯無線電話網
１０１  制御部
１０２  記憶部
１０３  操作部
１０４  表示部
１０５  通信部
１０６  アンテナ
１０７  メータＩ／Ｆ部
１０８  電源部
【図１】
2017169144.tif 000003
【図２】
2017169144.tif 000004
【図３】
2017169144.tif 000005
【図４】
2017169144.tif 000006